【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
架台内に静磁場を発生する静磁場発生手段と、
前記静磁場内に配置された被検体に傾斜磁場を印加する傾斜磁場発生手段と、
前記傾斜磁場が印加された被検体から磁気共鳴信号を受信する高周波コイルと、
前記被検体の外形を検出する制御部と、
前記検出された外形に基づいて、前記高周波コイルを前記被検体に対して遠近方向に移動させるコイル移動手段と、
前記受信された磁気共鳴信号に基づいて磁気共鳴画像を生成する画像生成手段と、
を具備することを特徴とする磁気共鳴イメージング装置。
【請求項２】
前記被検体を移動させる被検体移動手段をさらに備え、
前記コイル移動手段は、前記被検体の移動に応じて、前記高周波コイルを移動させることを特徴とする請求項１に記載の磁気共鳴イメージング装置。
【請求項３】
前記制御部は、前記被検体移動手段により前記被検体が第１の方向に移動される際に受信された前記磁気共鳴信号に基づいて前記被検体の外形を検出し、
前記コイル移動手段は、前記被検体移動手段により前記被検体が前記第１の方向とは逆の第２の方向に移動される際に前記高周波コイルを移動させることを特徴とする請求項２に記載の磁気共鳴イメージング装置。
【請求項４】
前記被検体から前記磁気共鳴信号を受信するホールボディコイルをさらに備え、
前記制御部は、前記ホールボディコイルで受信された前記磁気共鳴信号に基づいて、前記被検体の外形を検出することを特徴とする請求項３に記載の磁気共鳴イメージング装置。
【請求項５】
前記画像生成手段は、前記ホールボディコイルで受信された磁気共鳴信号に基づいて、前記被検体のプリスキャン画像を生成し、
前記制御部は、前記プリスキャン画像に基づいて前記被検体の外形を検出することを特徴とする請求項４に記載の磁気共鳴イメージング装置。
【請求項６】
前記被検体移動手段により前記被検体が前記第１の方向に移動される際に、前記被検体移動手段により前記被検体が前記第２の方向に移動される際の撮影条件を検出する条件検出手段をさらに備え、
前記高周波コイルは前記検出された撮影条件下で前記磁気共鳴信号を受信することを特徴とする請求項３に記載の磁気共鳴イメージング装置。
【請求項７】
前記条件検出手段は、前記磁気共鳴信号の送信パワーデータを検出することを特徴とする請求項６に記載の磁気共鳴イメージング装置。
【請求項８】
前記条件検出手段は、シミングデータを検出することを特徴とする請求項６に記載の磁気共鳴イメージング装置。
【請求項９】
前記条件検出手段は、感度分布データを検出することを特徴とする請求項６に記載の磁気共鳴イメージング装置。
【請求項１０】
前記条件検出手段は、チューニングデータを検出することを特徴とする請求項６に記載の磁気共鳴イメージング装置。
【請求項１１】
前記制御部は、前記被検体移動手段により前記被検体が第１の方向に移動される際に受信された前記磁気共鳴信号に基づいて前記被検体の外形を検出し、
前記コイル移動手段は、前記被検体が前記第１の方向と同じ方向に移動される際に前記高周波コイルを移動させることを特徴とする請求項２に記載の磁気共鳴イメージング装置。
【請求項１２】
前記高周波コイルは、局部撮影用の高周波コイルであることを特徴とする請求項１に記載の磁気共鳴イメージング装置。
【請求項１３】
架台内に静磁場を発生する静磁場発生手段と、
前記静磁場内に配置された被検体に傾斜磁場を印加する傾斜磁場発生手段と、
前記傾斜磁場が印加された被検体から磁気共鳴信号を受信する高周波コイルと、
前記高周波コイルで受信された前記磁気共鳴信号に基づいて前記被検体の外形を検出する制御部と、
前記検出された外形に基づいて、前記高周波コイルを前記被検体に対して遠近方向に移動させるコイル移動手段と、
前記コイル移動手段により移動される前記高周波コイルにより受信された前記磁気共鳴信号に基づいて磁気共鳴画像を生成する画像生成手段と、
を具備することを特徴とする磁気共鳴イメージング装置。
【請求項１４】
前記被検体を移動させる被検体移動手段をさらに備え、
前記コイル移動手段は、前記被検体の移動に応じて、前記高周波コイルを移動させることを特徴とする請求項１３に記載の磁気共鳴イメージング装置。
【請求項１５】
前記制御部は、前記被検体移動手段により前記被検体が第１の方向に移動される際に受信された前記磁気共鳴信号に基づいて前記被検体の外形を検出し、
前記コイル移動手段は、前記被検体が前記第１の方向と同じ方向に移動される際に前記高周波コイルを移動させることを特徴とする請求項１４に記載の磁気共鳴イメージング装置。
【請求項１６】
前記高周波コイルは、局部撮影用の高周波コイルであることを特徴とする請求項１３に記載の磁気共鳴イメージング装置。
【請求項１７】
架台内に静磁場を発生する静磁場発生手段と、
前記静磁場内に配置された被検体に傾斜磁場を印加する傾斜磁場発生手段と、
前記傾斜磁場が印加された前記被検体から磁気共鳴信号を受信する高周波コイルと、
前記被検体の厚さを測定するセンサと、
前記測定された厚さに基づいて、前記高周波コイルを前記厚さの方向に移動させるコイル移動手段と、
前記受信された磁気共鳴信号に基づいて磁気共鳴画像を生成する画像生成手段と、
を具備することを特徴とする磁気共鳴イメージング装置。
【請求項１８】
前記センサは、前記被検体に対して超音波を送受信する超音波センサであることを特徴とする請求項１７に記載の磁気共鳴イメージング装置。
【請求項１９】
前記センサは、前記被検体に対して光を送受信する光センサであることを特徴とする請求項１７に記載の磁気共鳴イメージング装置。
【請求項２０】
前記センサは、前記架台に設けられたことを特徴とする請求項１７に記載の磁気共鳴イメージング装置。
【請求項２１】
前記センサは、前記架台の側面に設けられたことを特徴とする請求項１７に記載の磁気共鳴イメージング装置。
【請求項２２】
前記高周波コイルを前記静磁場中の撮影領域まで移動させる第２のコイル移動手段をさらに備えたことを特徴とする請求項１７に記載の磁気共鳴イメージング装置。
【請求項２３】
前記高周波コイルは取り外し可能であることを特徴とする請求項１７に記載の磁気共鳴イメージング装置。
【請求項２４】
前記高周波コイルを前記厚さの方向に移動させるコイル移動手段は、前記第２のコイル移動手段に係合して取り付けられることを特徴とする請求項２２に記載の磁気共鳴イメージング装置。
【請求項２５】
前記被検体の厚さに応じて、前記被検体を設置する寝台を前記厚さ方向に移動させる寝台移動手段をさらに備えることを特徴とする請求項１７に記載の磁気共鳴イメージング装置。
【請求項２６】
架台内に静磁場を発生する静磁場発生手段と、
前記静磁場内に配置された被検体に傾斜磁場を印加する傾斜磁場発生手段と、
前記傾斜磁場が印加された前記被検体から磁気共鳴信号を受信する高周波コイルと、
前記高周波コイルと前記被検体との近接状態を検知するセンサと、
前記検知された近接状態に基づいて、前記高周波コイルを移動させるコイル移動手段と、
前記受信された磁気共鳴信号に基づいて磁気共鳴画像を生成する画像生成手段と、
を具備することを特徴とする磁気共鳴イメージング装置。
【請求項２７】
前記センサは、前記高周波コイルに設けられることを特徴とする請求項２６に記載の磁気共鳴イメージング装置。
【請求項２８】
前記高周波コイルは、マルチコイルであることを特徴とする請求項２６に記載の磁気共鳴イメージング装置。
【請求項２９】
前記被検体を直接支える第１の天板と、前記第１の天板の下部に設けられ、前記第１の天板を移動可能に支持する第２の天板と、を有する寝台をさらに備えることを特徴とする請求項２６に記載の磁気共鳴イメージング装置。
【請求項３０】
前記第１の天板と前記第２の天板との間に設けられた第２の高周波コイルをさらに備えることを特徴とする請求項２９に記載の磁気共鳴イメージング装置。
【請求項３１】
前記センサは、前記被検体に対して超音波を送受信する超音波センサであることを特徴とする請求項２６に記載の磁気共鳴イメージング装置。
【請求項３２】
前記センサは、前記被検体に対して光を送受信する光センサであることを特徴とする請求項２６に記載の磁気共鳴イメージング装置。
【請求項３３】
前記センサは、前記被検体と接触し、その圧力を検知する圧力センサであることを特徴とする請求項２６に記載の磁気共鳴イメージング装置。
【請求項３４】
架台内に静磁場を発生する静磁場発生手段と、
前記静磁場内に配置された被検体に傾斜磁場を印加する傾斜磁場発生手段と、
前記傾斜磁場が印加された前記被検体から磁気共鳴信号を受信する高周波コイルと、
前記被検体を載せる天板と、
前記天板の位置に基づいて、前記高周波コイルを前記被検体に対して遠近方向に移動させるコイル移動手段と、
前記受信された磁気共鳴信号に基づいて磁気共鳴画像を生成する画像生成手段と、
を具備することを特徴とする磁気共鳴イメージング装置。
【手続補正２】
【補正対象書類名】明細書
【補正対象項目名】発明の名称
【補正方法】変更
【補正の内容】
【発明の名称】磁気共鳴イメージング装置
【手続補正３】
【補正対象書類名】明細書
【補正対象項目名】０００１
【補正方法】変更
【補正の内容】
【０００１】
本発明は、磁気共鳴現象を利用して磁気共鳴画像を生成する磁気共鳴イメージング（Magnetic Resonance Imaging：ＭＲＩ）装置に関する。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】